【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
対象のヘマトクリット値を非侵襲的に決定するプロセッサであって、
光照明に基づき前記対象の皮膚領域から反射される光及び前記光照明に基づき前記対象の前記皮膚領域を通り透過される光の検出により得られる検出器信号から、第１の波長及び第２の波長に関するプレチスモグラフィＰＰＧ信号を得る処理ユニットであって、前記光照明が、５００及び１０００ｎｍの間の第１の波長範囲における第１の波長の第１の光及び１０００及び２０００ｎｍの間の第２の波長範囲における第２の波長の第２の光とを含み、前記処理ユニットは、前記第１の波長の反射された光の検出により得られる第１の検出器信号から第１のＰＰＧ信号を、前記第２の波長の反射された光の検出により得られる第２の検出器信号から第２のＰＰＧ信号を、前記第１の波長の透過された光の検出により得られる第３の検出器信号から第３のＰＰＧ信号を、及び前記第２の波長の透過された光の検出により得られる第４の検出器信号から第４のＰＰＧ信号を得るよう構成される、処理ユニットと、
前記ＰＰＧ信号から前記対象のヘマトクリット値を決定する分析ユニットであって、前記分析ユニットが、
ｉ）個別のＰＰＧ信号のＤＣ要素に対するＡＣ要素の第１から第４のパルス状の吸収率を形成することにより前記第１から第４のＰＰＧ信号に関する相対的なパルス状の吸収を決定し、前記第１の波長の光から得られる前記ＰＰＧ信号から得られる前記第１及び第３のパルス状の吸収率を加算することにより第１の比率を得て、前記第２の波長の光から得られる前記ＰＰＧ信号から得られる前記第２及び第４のパルス状の吸収率を加算することにより第２の比率を得て、前記第１の比率を前記第２の比率で割ることにより最終的な比率を得て、前記最終的な比率から前記対象のヘマトクリット値を決定するよう構成される、又は
ｉｉ）前記第１及び第３のＰＰＧ信号のＡＣ要素の合計と前記第１及び第３のＰＰＧ信号のＤＣ要素の合計との第３の比率を形成することにより、並びに前記第２及び第４のＰＰＧ信号のＡＣ要素の合計と前記第２及び第４のＰＰＧ信号のＤＣ要素の合計との第４の比率を形成することにより、前記第１から第４のＰＰＧ信号から相対的なパルス状の吸収を決定し、前記第３の比率を前記第４の比率で割ることにより最終的な比率を得て、前記最終的な比率から前記対象のヘマトクリット値を決定するよう構成される、分析ユニットとを有する、プロセッサ。
【請求項２】
前記分析ユニットが、前記最終的な比率を用いて、ルックアップテーブル又は較正曲線から対応するヘマトクリット値を決定するよう構成される、請求項１に記載のプロセッサ。
【請求項３】
対象のヘマトクリット値を非侵襲的に決定するデバイスであって、
前記対象の皮膚領域へ光を放出する光源であって、前記光が、５００及び１０００ｎｍの間の第１の波長範囲における第１の波長の第１の光及び１０００及び２０００ｎｍの間の第２の波長範囲における第２の波長の第２の光を含む、光源と、
前記光源による光照明に基づき、前記対象の前記皮膚領域から反射される光を検出することにより検出器信号を得る反射検出器と、
前記光源による光照明に基づき、前記対象の前記皮膚領域を通り透過される光を検出することにより検出器信号を得る透過検出器と、
前記対象のヘマトクリット値を非侵襲的に決定するため、前記反射検出器及び前記透過検出器により得られる検出器信号を処理する請求項１に記載のプロセッサとを有する、デバイス。
【請求項４】
前記反射検出器及び前記透過検出器が、光を同時に検出するよう構成され、前記処理ユニットは、同時に検出された光から生成される検出器信号からＰＰＧ信号を得るよう構成される、請求項３に記載のデバイス。
【請求項５】
前記光源が、前記第１の波長の第１の光を前記対象の前記皮膚領域へ放出する第１の光ユニットと、前記第２の波長の第２の光を前記対象の前記皮膚領域へ放出する第２の光ユニットとを有する、請求項３に記載のデバイス。
【請求項６】
前記２つの光ユニットが、前記皮膚領域を交互に照射するよう構成される、請求項５に記載のデバイス。
【請求項７】
対象のマトクリット値を非侵襲的に決定する処理方法において、
光照明に基づき前記対象の皮膚領域から反射される光及び前記光照明に基づき前記対象の前記皮膚領域を通り透過される光の検出により得られる検出器信号から、第１の波長及び第２の波長に関するプレチスモグラフィＰＰＧ信号を得るステップであって、前記光照明が、５００及び１０００ｎｍの間の第１の波長範囲における第１の波長の第１の光及び１０００及び２０００ｎｍの間の第２の波長範囲における第２の波長の第２の光とを含み、第１のＰＰＧ信号が、前記第１の波長の反射された光の検出により得られる第１の検出器信号から得られ、第２のＰＰＧ信号が、前記第２の波長の反射された光の検出により得られる第２の検出器信号から得られ、第３のＰＰＧ信号が、前記第１の波長の透過された光の検出により得られる第３の検出器信号から得られ、及び第４のＰＰＧ信号が、前記第２の波長の透過された光の検出により得られる第４の検出器信号から得られる、ステップと、
前記ＰＰＧ信号から前記対象のヘマトクリット値を決定するステップであって、前記決定するステップが、
ｉ）個別のＰＰＧ信号のＤＣ要素に対するＡＣ要素の第１から第４のパルス状の吸収率を形成することにより前記第１から第４のＰＰＧ信号に関する相対的なパルス状の吸収を決定し、前記第１の波長の光から得られる前記ＰＰＧ信号から得られる前記第１及び第３のパルス状の吸収率を加算することにより第１の比率を得て、前記第２の波長の光から得られる前記ＰＰＧ信号から得られる前記第２及び第４のパルス状の吸収率を加算することにより第２の比率を得て、前記第１の比率を前記第２の比率で割ることにより最終的な比率を得て、前記最終的な比率から前記対象のヘマトクリット値を決定するよう構成され、又は
ｉｉ）前記第１及び第３のＰＰＧ信号のＡＣ要素の合計と前記第１及び第３のＰＰＧ信号のＤＣ要素の合計との第３の比率を形成することにより、並びに前記第２及び第４のＰＰＧ信号のＡＣ要素の合計と前記第２及び第４のＰＰＧ信号のＤＣ要素の合計との第４の比率を形成することにより、前記第１から第４のＰＰＧ信号から相対的なパルス状の吸収を決定し、前記第３の比率を前記第４の比率で割ることにより最終的な比率を得て、前記最終的な比率から前記対象のヘマトクリット値を決定するよう構成される、ステップとを有する、方法。
【請求項８】
対象のヘマトクリット値を非侵襲的に決定する方法において、
前記対象の皮膚領域へ光を放出するステップであって、前記光が、５００及び１０００ｎｍの間の第１の波長範囲における第１の波長の第１の光及び１０００及び２０００ｎｍの間の第２の波長範囲における第２の波長の第２の光を含む、ステップと、
前記光源による光照明に基づき、前記対象の前記皮膚領域から反射される光を検出することにより検出器信号を得るステップと、
前記光源による光照明に基づき、前記対象の前記皮膚領域を通り透過される光を検出することにより検出器信号を得るステップと、
前記対象の前記ヘマトクリット値を非侵襲的に決定するため、前記反射された光及び前記透過された光を検出することにより得られる検出器信号を処理する請求項７に記載のステップとを有する、方法。
【請求項９】
コンピュータで実行されるとき、コンピュータが請求項７に記載の方法のステップを実行することをもたらすプログラムコード手段を有するコンピュータプログラム。